(57)【要約】【課題】植物を梱包及び輸送する容器において、転倒した際に、容器内の水又はゲル状保水材の漏出を防止する漏出防止具を提供する。【解決手段】本発明の漏出防止具９は、水又はゲル状保水材Ｗ及び植物Ｐの下部を収容する第一収容体２と、端部に開口部を有し、第一収容体２を収容する柔軟な第二収容体６と、端部に開口部を有し、第二収容体６を収容する第三収容体７と、を備える容器に使用される。漏出防止具９は、第三収容体７の上部空間を覆うようにして、第二収容体６の上方で且つ第三収容体７内に配置される本体部９１を備え、本体部９１には、第二収容体６の開口部よりも小径で且つ第二収容体６の端部が通過可能な貫通穴９２が形成されている。【選択図】図１
2020070019.tif 000002
【特許請求の範囲】
【請求項１】
水又はゲル状保水材と植物の下部とを収容する第一収容体と、開口部を有し、前記第一収容体を収容する柔軟な第二収容体と、開口部を有し、前記第二収容体を収容する第三収容体と、を備える、前記植物を立設した状態で梱包及び輸送する容器に使用され、前記水又はゲル状保水材の前記第二収容体外への漏出を防止する漏出防止具であって、
前記第三収容体の上部空間を覆うようにして、前記第二収容体の上方で且つ前記第三収容体内に配置される本体部を備え、
前記本体部には、前記第二収容体の開口部よりも小径で且つ前記第二収容体の開口部側の端部が通過可能な第一貫通穴が形成されている、
ことを特徴とする漏出防止具。
【請求項２】
前記本体部には、前記第一貫通穴の周囲に配置され、前記第一貫通穴を通過した前記第二収容体を保持する第二貫通穴が形成されている、
請求項１に記載の漏出防止具。
【請求項３】
水又はゲル状保水材と植物の下部とを収容する第一収容体と、
開口部を有し、前記第一収容体を収容する柔軟な第二収容体と、
開口部を有し、前記第二収容体を収容する第三収容体と、
請求項１又は２に記載の漏出防止具と、
を備える、植物を立設した状態で梱包及び輸送する容器。
【発明の詳細な説明】
【技術分野】
【０００１】
本発明は植物を梱包及び輸送するための容器に使用される漏出防止具、及び当該漏出防止具を備えた容器に関する。
【背景技術】
【０００２】
植物を輸送する際には、植物の鮮度を保つために、植物の根又は茎を水に浸した状態で輸送することが行われている。特許文献１には、水を貯留する容器本体１０と蓋材２０とを備え、切花や切葉や生花などの植物を収納可能である容器２が開示されている。
【先行技術文献】
【特許文献】
【０００３】
【特許文献１】特開２０１５−２０９２４３公報
【発明の概要】
【発明が解決しようとする課題】
【０００４】
ところで、植物を輸送する容器は、転倒した際に水が容器外へ漏出することを防止する構造を備えることが望ましい。しかし、特許文献１の容器は、転倒した際の水の漏出について、何ら考慮されていない。
【０００５】
本発明は、植物を梱包及び輸送する容器において、転倒した際に、容器内の水又はゲル状保水材の漏出を防止する漏出防止具を提供することを目的とする。
【０００６】
本発明は、転倒した際に、容器内の水又はゲル状保水材の漏出を防止する漏出防止具を備えた容器を提供することを目的とする。
【課題を解決するための手段】
【０００７】
本発明の漏出防止具は、
水又はゲル状保水材と植物の下部とを収容する第一収容体と、開口部を有し、前記第一収容体を収容する柔軟な第二収容体と、開口部を有し、前記第二収容体を収容する第三収容体と、を備える、前記植物を立設した状態で梱包及び輸送する容器に使用され、前記水又はゲル状保水材の前記第二収容体外への漏出を防止する。
前記漏出防止具は、
前記第三収容体の上部空間を覆うようにして、前記第二収容体の上方で且つ前記第三収容体内に配置される本体部を備え、
前記本体部には、前記第二収容体の開口部よりも小径で且つ前記第二収容体の開口部側の端部が通過可能な第一貫通穴が形成されている、
ことを特徴とする。
【０００８】
本発明の漏出防止具において、
前記本体部には、前記第一貫通穴の周囲に配置され、前記第一貫通穴を通過した前記第二収容体を保持する第二貫通穴が形成されている、
ことが好ましい。
【０００９】
本発明は、植物を立設した状態で梱包及び輸送する容器であって、上記記載の漏出防止具を備えた容器にも関する。
本発明の容器は、
水又はゲル状保水材と植物の下部とを収容する第一収容体と、
開口部を有し、前記第一収容体を収容する柔軟な第二収容体と、
開口部を有し、前記第二収容体を収容する第三収容体と、
上記記載の漏出防止具と、
を備えることを特徴とする。
【発明の効果】
【００１０】
本発明の漏出防止具の第一貫通穴に、開口部が形成された第二収容体の端部を通すことで、第二収容体は第一貫通穴によって絞られる。したがって、本発明の漏出防止具が設けられた容器が転倒したとしても、水又はゲル状保水材が第二収容体から漏出し難くなる。また、本体部によって水又はゲル状保水材がせき止められるため、水又はゲル状保水材が第二収容体から漏出し難くなる。
【００１１】
本発明の容器は上記漏出防止具を備えているため、転倒したとしても水又はゲル状保水材が漏出し難くなる。
【図面の簡単な説明】
【００１２】
【図１】（ａ）容器の斜視図、（ｂ）（ａ）のＩｂ−Ｉｂ線断面図である。
【図２】（ａ）第一収容体の平面図、（ｂ）第一収容体の正面図、（ｃ）（ａ）のＩＩｃ−ＩＩｃ線断面図である。
【図３】（ａ）支持部材の平面図、（ｂ）支持部材の正面図、（ｃ）（ａ）のＩＩＩｃ−ＩＩＩｃ線断面図である。
【図４】第三収容体の斜視図である。
【図５】（ａ）漏出防止具の平面図、（ｂ）（ａ）のＶｂ−Ｖｂ線断面図である。
【発明を実施するための形態】
【００１３】
本発明について図面を参照しながら説明する。以下で説明する実施形態は、いずれも本発明の好ましい一具体例を示すものである。本発明は、以下の実施形態に限定されず、その趣旨を逸脱しない範囲で適宜変更可能である。
【００１４】
以下では、まず、容器１の構成について説明し、その後、漏出防止具９の構成について説明する。
【００１５】
図１（ａ）は容器１の斜視図、図１（ｂ）は図１（ａ）のＩｂ−Ｉｂ線断面図である。説明の便宜上、図１（ａ）の上下方向を容器１の上下方向として説明する。容器１は切り花などの植物Ｐを梱包して輸送するために使用される。より詳細には、容器１は植物Ｐが立った状態で梱包及び輸送可能な容器である。容器１は、第一収容体２、支持部材３、被覆体４で覆われた保冷材５、第二収容体６、第三収容体７、冷却部材８及び漏出防止具９を備える。第一収容体２には植物Ｐの下部が収容される。第一収容体２は支持部材３に嵌合される。第一収容体２、支持部材３及び被覆体４で覆われた保冷材５は、植物Ｐと共に第二収容体６内に収容される。第二収容体６は第三収容体７内に収容される。以下では、容器１の各構成要素の詳細について説明する。
【００１６】
図２（ａ）は第一収容体２の平面図、図２（ｂ）は第一収容体２の正面図、図２（ｃ）は図２（ａ）のＩＩｃ−ＩＩｃ線断面図である。第一収容体２は、矩形状の底壁２１と、四つの側壁２２と、上壁２３と、空間２４と、を備える。側壁２２は、底壁２１の四辺からそれぞれ立設し、且つ、互いに一体的に接続されている。上壁２３は、側壁２２に接続されている。上壁２３の中央部には開口部２５が形成されている。空間２４は、底壁２１、側壁２２及び上壁２３によって画定されている。第一収容体２は例えばポリエチレンテレフタレート（ＰＥＴ）から成る。第一収容体２は、透明であることが好ましい。図１（ｂ）に示すように、空間２４内には水Ｗが収容される。植物Ｐの下部は開口部２５を通って空間２４内に収容され、空間２４内の水Ｗと接触する。これにより植物Ｐは梱包及び輸送中に空間２４内の水Ｗを吸い上げることができ、その鮮度を保つことができる。
【００１７】
図３（ａ）は支持部材３の平面図、図３（ｂ）は支持部材３の正面図、図３（ｃ）は支持部材３のＩＩＩｃ−ＩＩＩｃ線断面図である。支持部材３は平面視矩形状であり、例えば段ボールから構成することができる。支持部材３は、互いに一体的に接続された四つの側壁３１と、側壁３１に接続された上壁３２と、上壁３２から内方に延びる四つのフラップ３３とを備える。支持部材３の縦寸法（図３（ａ）の上下方向長さ）及び横寸法（図３（ａ）の左右方向長さ）は、高さ寸法（図３（ｂ）の上下方向長さ）よりも大きくなっている。これにより、支持部材３は低重心となっている。図１（ｂ）に示すように、支持部材３は第三収容体７の下端部に配置される。側壁３１の下端部は、第二収容体６を介して、後述する第三収容体７の底壁７１に当接している。
【００１８】
四つのフラップ３３は上壁３２に上下動可能（旋回可能）に接続されている。本実施形態では、上壁３２の中央部分に切り込みを入れることにより上壁３２の一部がフラップ３３として機能する。フラップ３３を押し下げることにより、上壁３２の中央部には開口部３４が形成される。第一収容体２を支持部材３に嵌合させる際には、第一収容体２をフラップ３３の上方から押し込む。これにより、フラップ３３が下がり、第一収容体２は開口部３４内に嵌合される。図１（ｂ）に示すように、第一収容体２の底壁２１は、支持部材３の側壁３１の下端部と同じ位置まで押し込まれ、第二収容体６を介して第三収容体７の底壁７１と当接している。開口部３４に第一収容体２が嵌合されたとき、フラップ３３は第一収容体２の側壁２２に当接する。これにより、第一収容体２は、支持部材３に固定される。
【００１９】
図１（ｂ）に示すように、保冷材５は、被覆体４に覆われた状態で、支持部材３の側壁３１の外側周囲に配置されている。保冷材５は例えばドライアイスやゲル状保冷材である。被覆体４は、例えば容器１が転倒して保冷材５が植物Ｐの近くに移動したとしても、保冷材５が植物Ｐに直接触れないよう保冷材５と植物Ｐとを隔離している。被覆体４は、例えば、ポリエステルやポリエチレンなどの材料から形成された柔軟な袋体から構成することができる。
【００２０】
図１（ｂ）に示すように、第二収容体６は、例えばポリエステルやポリエチレンなどの材料から形成された柔軟な袋体から構成することができる。第二収容体６は防水性材料から作製されることが好ましい。第二収容体６は、その一端部に、植物Ｐ、第一収容体２、支持部材３及び被覆体４に包まれた保冷材５を内部に入れるための開口部を備え、それら全体を内部に収容する。第二収容体６の外面には、熱を吸収する冷却部材８が取り付けられている。冷却部材８は例えば冷却ジェルを備えた冷却シートである。
【００２１】
図４は第三収容体７の斜視図である。第三収容体７は、外観視で上下方向に長尺な直方体であり、例えば段ボールから構成することができる。第三収容体７の内部には、第二収容体６全体が収容される。第三収容体７は、矩形状の底壁７１と、四つの側壁７２と、四つの上壁７３と、を備える。四つの側壁７２は、底壁７１の四辺からそれぞれ立設し、且つ、互いに一体的に接続されている。四つの上壁７３は、四つの側壁７２にそれぞれ接続された四つのフラップから成る。フラップから成る上壁７３は側壁７２に対して旋回可能に接続されている。上壁７３を旋回させることにより、第三収容体７の上部には開口部が形成される。第二収容体６は、その開口部から第三収容体７内に入れられる。図１（ａ）に示すように、第二収容体６が第三収容体７内に収容された後、上壁７３は閉じられる。そして、上壁７３同士及び上壁７３と側壁７２とは、粘着テープＴなどによって互いに固定される。上壁７３は、各上壁７３間及び各上壁７３と側壁７２との間に隙間が形成されないよう、密閉されることが好ましい。第三収容体７の側壁７２の外面には、冷却部材８が取り付けられる。
【００２２】
図５（ａ）は漏出防止具９の平面図、図５（ｂ）は図５（ａ）のＶｂ−Ｖｂ線断面図である。漏出防止具９は、本体部９１を備える。本体部９１は薄い板状であり、且つ、第三収容体７の底壁７１と相補的形状の矩形状である。漏出防止具９は例えば段ボールから作製される。本体部９１の略中央には、第二収容体６の開口部よりも小径の貫通穴９２が形成されている。貫通穴９２の周囲には、貫通穴９２よりも小径の複数の貫通穴９３が形成されている。本実施形態において、貫通穴９２及び貫通穴９３はいずれも矩形状であるが、貫通穴９２及び貫通穴９３の形状はこれに限定されず、例えば円形であってもよい。
【００２３】
図１（ｂ）に示すように、漏出防止具９は、第二収容体６の上方で、且つ、第三収容体７の上部空間を覆うようにして第三収容体７内に配置される。開口部を有する第二収容体６の一端部は、貫通穴９２を下から上へと通される。貫通穴９２は第二収容体６の開口部よりも小径であるため、第二収容体６は貫通穴９２によって縮小される。その後、第二収容体６の一端部は、貫通穴９３に上から下へと通される。第二収容体６の一端部は、貫通穴９３の縁部との摩擦により、貫通穴９３内に保持される。第二収容体６の開口部には、冷却部材８が貼り付けられる。
【００２４】
本体部９１は、第三収容体７の上部空間全体を覆うよう、第三収容体７の内径よりもわずかに小さい寸法を有することが好ましい。本体部９１の外縁と側壁７２の内面とは接触していることがより好ましい。しかし、本体部９１と第三収容体７の側壁７２の内面との間には隙間が形成されていてもよい。また、本体部９１は、第三収容体７の底壁７１と相補的形状でなくてもよい。
【００２５】
［作用効果］
以下では容器１の作用効果について説明する。
【００２６】
容器１では、第二収容体６内に植物Ｐと共に保冷材５が収容されているため、容器１内の温度上昇を抑えることができ、植物Ｐの鮮度を保つことができる。
【００２７】
第三収容体７の開口部は粘着テープＴなどによって閉じられ、第三収容体７は密閉されるため、第三収容体７内を低温に維持することができる。
【００２８】
第二収容体６及び第三収容体７には冷却部材８が取り付けられているため、第二収容体６及び第三収容体７内の熱を吸収することができ、容器１内の温度上昇を抑えることができる。第二収容体６の開口部に冷却部材８が貼り付けられていることにより、温度上昇を抑えることができると共に、第二収容体６の開口部から水が漏出することを防止できる。
【００２９】
保冷材５は被覆体４で覆われているため、保冷材５と植物Ｐとが直接接触することがない。これにより、植物Ｐの凍結による損傷を防止することができる。
【００３０】
保冷材５がドライアイスの場合、ドライアイスの気化により発生した気体の状二酸化炭素によって、植物Ｐの鮮度を保つことができる。
【００３１】
支持部材３は低重心化されているため、第三収容体７内での支持部材３の転倒を抑制することができる。これにより、支持部材３に固定された第一収容体２の転倒も抑制することができる。その結果、第一収容体２内に収容された水が第一収容体２から漏れ出ることを防止することができる。
【００３２】
漏出防止具９の貫通穴９２により第二収容体６は絞られているため、容器１が転倒して第一収容体２から水が漏出したとしても、第二収容体６から水が漏出し難くなる。また、容器１が転倒した際に、本体部９１が水をせき止める堰として機能するため、第二収容体６外に水が漏出することを防止できる。
【００３３】
［変形例］
以下では容器１の変形例について説明する。
【００３４】
（１）冷却部材８は第一収容体２の外面にも取り付けられていてもよい。
【００３５】
（２）水の代わりに、例えばエコゼリー（登録商標）等のゲル状保水材を使用してもよい。
【００３６】
（３）被覆体４は必ずしも保冷材５全体を覆っている必要はなく、保冷材５の一部のみを覆う形態であってもよい。また、保冷材５が移動しないよう、例えば支持部材３又は第三収容体に固定できるのであれば、保冷材５は被覆体４で覆われていなくてもよい。
【００３７】
（４）保冷材５は、支持部材３の側壁３１の内側に収容されていてもよい。また、保冷材５は、水又はゲル状保水材の中にも入れられていてもよい。
【００３８】
（５）植物Ｐ、第一収容体２、支持部材３及び保冷材５が内部に収容された後、第二収容体６は、漏出防止具９よりも下方又は上方で、例えば輪ゴムなどのゴムバンドによって縛られていてもよい。これにより、第二収容体６の開口部は封止され、第二収容体６は密閉されるため、水の漏出をより一層抑えることができる。
【００３９】
（６）第二収容体６及び／又は第三収容体７内には、気体状の二酸化炭素が注入されていてもよい。これにより、一層、植物Ｐの鮮度を保つことができる。
【符号の説明】
【００４０】
１      容器
２      第一収容体
３      支持部材
４      被覆体
５      保冷材
６      第二収容体
７      第三収容体
８      冷却部材
９      漏出防止具
９１    本体部
９２    貫通穴（第一貫通穴）
９３    貫通穴（第二貫通穴）
Ｐ      植物
Ｗ      水
【図１】
2020070019.tif 000003
【図２】
2020070019.tif 000004
【図３】
2020070019.tif 000005
【図４】
2020070019.tif 000006
【図５】
2020070019.tif 000007